(57)【特許請求の範囲】
【請求項１】
略長方形状の天井面と、該天井面の長辺の周端から斜め下方に末広がりに延びて反射部を構成する傾斜面と、側面とを、合成樹脂で一体成形して略角錐台形型の位置報知本体とし、少なくとも前記反射部の裏面に光反射用のアルミシートを配置し、前記位置報知本体内を重荷重用補強樹脂材を充満させた消火栓の位置報知装置において、前記重荷重用補強樹脂材を弾性を有するエポキシ樹脂とし、前記傾斜面及び側面に滑り止め用の複数の突起を設けたことを特徴とする消火栓の位置報知装置。
【発明の詳細な説明】
【０００１】
【発明の属する技術分野】
本発明は、車道を走って来る消防車等から消火栓の在所を認識するための消火栓の位置報知装置に関するものである。
【０００２】
【従来の技術】
従来、略長方形状の天井面と、該天井面の長辺の周端から斜め下方に末広がりに延びて反射部を構成する傾斜面と、側面とを、合成樹脂で一体成形して略角錐台形型の位置報知本体とし、少なくとも前記反射部の裏面に光反射用のアルミシートを配置し、前記位置報知本体内を重荷重用補強樹脂材を充満させた消火栓の位置報知装置がある（例えば、特許文献１参照。）。
【０００３】
【特許文献１】
特開２００２−３８５４４号公報
【０００４】
【発明が解決しようとする課題】
ところで、前記公知のものでは、位置報知本体内に重荷重用補強樹脂材として、ポリウレタン樹脂，エポキシ樹脂等を硬化させ位置報知装置の保型に努めているものであるが、該公知の位置報知装置は樹脂を硬化させることにより位置報知本体と重荷重用補強樹脂材との間に隙間が生じ、この隙間の形成から車の荷重等により位置報知本体が割れたり潰れたりして壊れてしまう虞がある。
【０００５】
また、設置された位置報知装置に車，自転車等のタイヤ又は人間の足が乗っかった場合に接触面が平滑に形成されているため滑って事故や怪我をしてしまう虞もある。
【０００６】
本発明は、従来の技術の有するこのような問題点に鑑みてなされたものであり、その目的とするところは、位置報知本体と重荷重用補強樹脂材との間に隙間を生ずることなく両者を密着させ、弾性を有する樹脂によりタイヤ等による圧力を吸収して位置報知本体の破壊を防止し、組立が簡単・容易で全体がコンパクトな消火栓の位置報知装置を提供しようとするものである。
【０００７】
また、車，自転車等のタイヤ又は人間の足が位置報知装置に乗っかった場合においてもタイヤ又は足の滑りを防止する安全な消火栓の位置報知装置を提供しようとするものである。
【０００８】
【課題を解決するための手段】
上記目的を達成するために、本発明における消火栓の位置報知装置は、略長方形状の天井面と、該天井面の長辺の周端から斜め下方に末広がりに延びて反射部を構成する傾斜面と、側面とを、合成樹脂で一体成形して略角錐台形型の位置報知本体とし、少なくとも前記反射部の裏面に光反射用のアルミシートを配置し、前記位置報知本体内を重荷重用補強樹脂材を充満させたものにおいて、前記重荷重用補強樹脂材を弾性を有するエポキシ樹脂としたことを特徴とするものである。
【０００９】
また、前記傾斜面及び側面に滑り止め用の複数の突起を設けたことを特徴とするものである。
【００１０】
【発明の実施の形態】
図１ないし図３は本発明に係る消火栓の位置報知装置の一の実施例に関するものであり、図１は消火栓の位置報知装置の平面図、図２は図１のＡ−Ａ断面図、図３は位置報知本体の裏面図を示すものである。
【００１１】
図において、１は消火栓の位置報知装置であり、該位置報知装置１は位置報知本体２と、光反射用アルミシート３と、前記位置報知本体２内に充満させた弾性を有するエポキシ樹脂４とから構成されている。
【００１２】
前記位置報知本体２は、ポリカーボネート，強化プラスチック等の合成樹脂で、略長方形状の天井面５と、該天井面５の長辺の周端から斜め下方に末広がりに延びて裏面に反射部６，６を構成する傾斜面７，７と、側面８，８とで、略角錐台形型に一体成形されている。
なお、前記ポリカーボネート，強化プラスチック等の合成樹脂をブルーにすることにより、道路鋲の黄色や赤色と区別がつき見栄えも良いものとなる。
【００１３】
前記アルミシート３は、前記位置報知本体２の反射部６，６の裏面に形成された多数の反射プリズム９を含む裏面一面に蒸着又は張着されている。そしてこのアルミシート３と多数の反射プリズム９により、外部光線が明瞭に反射されることとなる。
なお、前記アルミシート３は、反射部６，６の裏面のみに配置してもよい。
【００１４】
前記弾性を有するエポキシ樹脂４は、例えば弾性エポキシ樹脂の主液と硬化剤との二液混合にして位置報知本体２内に注入し、これが弾性を有する固形物になり位置報知本体２裏面に密着される。
【００１５】
以上のような構成からなる消火栓の位置報知装置１であって、位置報知本体２を合成樹脂で一体成形し、少なくとも該位置報知本体２の裏面の反射プリズム９にアルミシート３を貼着し、位置報知本体２内に弾性を有するエポキシ樹脂４を充満させることにより、位置報知装置１は簡単・容易に組み立てられ全体がコンパクトなものとなる。
そして、この組み立てられた位置報知装置１を道路面等に接着するには、前記弾性を有するエポキシ樹脂４の底面と位置報知本体２の底面に接着材１０を塗布することで、位置報知装置１は道路面等に確実に設置される。
【００１６】
そして、道路面等に設置された位置報知装置１は、位置報知本体２と弾性を有するエポキシ樹脂４との間に隙間が生ずることなく密着されているので、弾性を有するエポキシ樹脂４が車のタイヤ等による圧力を吸収して位置報知本体２の破壊を防止し位置報知装置１を強固に保型する。
【００１７】
また、図４は本発明に係る消火栓の位置報知装置の他の実施例に関するものであり、消火栓の位置報知装置の平面図である。
図において、位置報知装置１の傾斜面７，７及び側面８，８に平面視略Ｖ字型の滑り止め用複数の突起１１，１１，…が合成樹脂で一体成形されていること以外は前述の実施例と実質的に同一であるので同一の符号を付してその説明を省略する。
【００１８】
以上のような構成からなる消火栓の位置報知装置１であるので、車，自転車等のタイヤ又は人間の足が該位置報知装置１に乗っかった場合において滑りを防止するので、事故や怪我をなくして安全なものとすることができる。
【００１９】
【発明の効果】
本発明に係る消火栓の位置報知装置は、略長方形状の天井面と、該天井面の長辺の周端から斜め下方に末広がりに延びて反射部を構成する傾斜面と、側面とを、合成樹脂で一体成形して略角錐台形型の位置報知本体とし、少なくとも前記反射部の裏面に光反射用のアルミシートを配置し、前記位置報知本体内を重荷重用補強樹脂材を充満させたものにおいて、前記重荷重用補強樹脂材を弾性を有するエポキシ樹脂としたので、位置報知本体と重荷重用補強樹脂材との間に隙間を生ずることなく両者を密着させ、弾性を有する樹脂によりタイヤ等による圧力を吸収して位置報知本体の破壊を防止しすると共に、組立が簡単・容易で全体がコンパクトなものとなる。
【００２０】
また、前記傾斜面及び側面に滑り止め用の複数の突起を設けたので、車，自転車等のタイヤ又は人間の足が位置報知装置に乗っかった場合においてもタイヤ又は足の滑りを防止する安全な消火栓の位置報知装置となる。
【図面の簡単な説明】
【図１】図１は本発明の一の実施例に係る消火栓の位置報知装置の平面図である。
【図２】図２は図１のＡ−Ａ断面図である。
【図３】図３は位置報知本体の裏面図である。
【図４】図４は本発明の他の実施例に係る消火栓の位置報知装置の平面図である。
【符号の説明】
１                  消火栓の位置報知装置
２                  位置報知本体
３                  アルミシート
４                  弾性を有するエポキシ樹脂
５                  天井面
６                  反射部
７                  傾斜面
８                  側面
１１                滑り止め用突起
【図１】
0003717072.tif 000002
【図２】
0003717072.tif 000003
【図３】
0003717072.tif 000004
【図４】
0003717072.tif 000005